(57)【要約】【課題】物品の出し入れがしやすく、使い勝手の良い階段踊り場下の構造を提供することを目的とする。【解決手段】建物の下階１と上階２とを連結する階段３の途中に配置された踊り場４の下方に収納所５が設けられており、この収納所５は下階の部屋６と玄関７とに隣接して配置されており、この収納所５を形成する壁８，９には、下階の部屋６に面する第１出入口８ａと、玄関７に面する第２出入口９ａとが形成されていることを特徴とする階段踊り場下の構造。これにより、下階の部屋と収納所との間で、第１出入口を通じて物品の出し入れがしやすく、また、玄関と収納所との間で、第２出入口を通じて物品の出し入れがしやすくなる。【選択図】図１
2011064017.tif 000002
【特許請求の範囲】
【請求項１】
建物の下階と上階とを連結する階段の途中に配置された踊り場の下方に収納所が設けられており、
この収納所は下階の部屋と玄関とに隣接して配置されており、
この収納所を形成する壁には、前記下階の部屋に面する第１出入口と、前記玄関に面する第２出入口とが形成されていることを特徴とする階段踊り場下の構造。
【請求項２】
請求項１に記載の階段踊り場下の構造において、
前記第１出入口と第２出入口とは、互いに対向して配置されており、
これら第１出入口および第２出入口には、これら第１出入口および第２出入口を開閉する引戸がそれぞれ設けられていることを特徴とする階段踊り場下の構造。
【請求項３】
請求項１または２に記載の階段踊り場下の構造において、
前記踊り場は、下階と上階とを結ぶ昇降ルート上に配置される通路スペースと、
この通路スペースに隣接するとともに外壁に沿って配置される作業スペースとを有していることを特徴とする階段踊り場下の構造。
【請求項４】
請求項１〜３のいずれか一項に記載の階段踊り場下の構造において、
前記収納所には、前記下階の部屋の床面と略等しい高さに設定されるとともに、この下階の部屋の床面と面一に設けられる高床部と、
この高床部よりも一段低い高さに設定されるとともに、前記玄関の土間床面と面一に設けられる低床部とが設けられていることを特徴とする階段踊り場下の構造。
【請求項５】
請求項４に記載の階段踊り場下の構造において、
前記収納所の高床部からの天井高は、０．９ｍ〜１．４ｍに設定されていることを特徴とする階段踊り場下の構造。
【発明の詳細な説明】
【技術分野】
【０００１】
本発明は、住宅等の建物の階段踊り場下の構造に関する。
【背景技術】
【０００２】
従来、住宅等の建物において物品を保管、収容する場所として、建物内部には押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために従来の収納スペースでは広さや容量が不足する場合があった。
このため、例えば特許文献１に記載のように、階段下の防水処理が施された基礎スラブ面の部分を収納空間として利用するなどして、収納スペースの確保が行われていた。
【先行技術文献】
【特許文献】
【０００３】
【特許文献１】特開平１０−３１７６８９号公報
【発明の概要】
【発明が解決しようとする課題】
【０００４】
ところが、建物内部に設けられた収納スペースに対して、例えばアウトドア用品等、建物の外部で使用する物品を収納する際には、玄関から収納スペースまでの距離が長い場合があり、使い勝手が良くない場合があった。
また、長尺物や重量物等のような物品を持って玄関と収納スペースとの間を行き来したり、収納スペースと部屋との間を行き来したりするのは不便であった。
【０００５】
本発明の課題は、物品の出し入れがしやすく、使い勝手の良い階段踊り場下の構造を提供することを目的とする。
【課題を解決するための手段】
【０００６】
請求項１に記載の発明は、階段踊り場下の構造であって、例えば図１〜図３に示すように、建物の下階１と上階２とを連結する階段３の途中に配置された踊り場４の下方に収納所５が設けられており、
この収納所５は下階の部屋６と玄関７とに隣接して配置されており、
この収納所５を形成する壁８，９には、前記下階の部屋６に面する第１出入口８ａと、前記玄関７に面する第２出入口９ａとが形成されていることを特徴とする。
【０００７】
請求項１に記載の発明によれば、前記収納所５は下階の部屋６と玄関７とに隣接して配置されており、この収納所５を形成する壁８，９に、前記下階の部屋６に面する第１出入口８ａと、前記玄関７に面する第２出入口９ａとが形成されているので、前記下階の部屋６と収納所５との間で、前記第１出入口８ａを通じて物品の出し入れがしやすく、また、前記玄関７と収納所５との間で、前記第２出入口９ａを通じて物品の出し入れがしやすい。さらに、これら第１出入口８ａと第２出入口９ａとを通じて、下階の部屋６と玄関７との間で物品を直接持ち運びできるので、使い勝手が良い。
【０００８】
請求項２に記載の発明は、例えば図１および図２に示すように、請求項１に記載の階段踊り場下の構造において、
前記第１出入口８ａと第２出入口９ａとは、互いに対向して配置されており、
これら第１出入口８ａおよび第２出入口９ａには、これら第１出入口８ａおよび第２出入口９ａを開閉する引戸８ｂ，９ｂがそれぞれ設けられていることを特徴とする。
【０００９】
請求項２に記載の発明によれば、前記第１出入口８ａと第２出入口９ａとは、互いに対向して配置されているので、これら第１出入口８ａと第２出入口９ａとを通じて、下階の部屋６と玄関７との間で進路を曲げずに物品を持ち運びでき、より使い勝手が良い。
また、前記第１出入口８ａおよび第２出入口９ａには、これら第１出入口８ａおよび第２出入口９ａを開閉する引戸８ｂ，９ｂがそれぞれ設けられているので、これら引戸８ｂ，９ｂによって収納所５内部を遮蔽できるだけでなく、これら引戸８ｂ，９ｂを開けておくことで、下階の部屋６と玄関７との間で通気がしやすい。
【００１０】
請求項３に記載の発明は、例えば図１〜図３に示すように、請求項１または２に記載の階段踊り場下の構造において、
前記踊り場４は、下階１と上階２とを結ぶ昇降ルート３ａ上に配置される通路スペース４ａと、
この通路スペース４ａに隣接するとともに外壁１４に沿って配置される作業スペース４ｂとを有していることを特徴とする。
【００１１】
請求項３に記載の発明によれば、前記踊り場４は、下階１と上階２とを結ぶ昇降ルート３ａ上に配置される通路スペース４ａと、この通路スペース４ａに隣接するとともに外壁１４に沿って配置される作業スペース４ｂとを有しているので、この作業スペース４ｂの分、踊り場４の面積を広くすることができる。これに伴って、この踊り場４下の収納所５も広くすることができるので、物品の収納量を向上させることができる。
さらに、前記踊り場４を、通路のためのスペースとしてだけでなく、例えば趣味や仕事、勉強等にも利用することができるので、この踊り場４を有効活用することができる。
【００１２】
請求項４に記載の発明は、例えば図１および図２に示すように、請求項１〜３のいずれか一項に記載の階段踊り場下の構造において、
前記収納所５には、前記下階の部屋６の床面６ａと略等しい高さに設定されるとともに、この下階の部屋６の床面６ａと面一に設けられる高床部５ａと、
この高床部５ａよりも一段低い高さに設定されるとともに、前記玄関７の土間床面７ａと面一に設けられる低床部５ｂとが設けられていることを特徴とする。
【００１３】
請求項４に記載の発明によれば、前記収納所５には、前記下階の部屋６の床面６ａと略等しい高さに設定されるとともに、この下階の部屋６の床面６ａと面一に設けられる高床部５ａと、この高床部５ａよりも一段低い高さに設定されるとともに、前記玄関７の土間床面７ａと面一に設けられる低床部５ｂとが設けられているので、前記下階の部屋６で使用する物品を収納所５の高床部５ａ側に収納できるとともに、玄関７や屋外で使用する物品を収納所５の低床部５ｂ側に収納できる。これによって、物品の用途に合わせた収納ができるので、さらに使い勝手が良い。
【００１４】
請求項５に記載の発明は、例えば図１〜図４に示すように、請求項４に記載の階段踊り場下の構造において、
前記収納所５の高床部５ａからの天井高は、０．９ｍ〜１．４ｍに設定されていることを特徴とする。
【００１５】
請求項５に記載の発明によれば、前記収納所５の高床部５ａからの天井高は、０．９ｍ〜１．４ｍに設定されているので、人が前記収納所５に入って、何とか作業ができる最低限の高さを確保できる。また、このように天井高を必要最小限に抑えることで、建物の高さが高くなることによって隣接する建物に及ぼす日照減少等の影響を極力少なくすることができる。
【発明の効果】
【００１６】
本発明によれば、階段途中の踊り場の下方に設けられた収納所は下階の部屋と玄関とに隣接して配置されており、この収納所を形成する壁に、下階の部屋に面する第１出入口と、玄関に面する第２出入口とが形成されているので、下階の部屋と収納所との間で、第１出入口を通じて物品の出し入れがしやすく、また、玄関と収納所との間で、第２出入口を通じて物品の出し入れがしやすい。さらに、これら第１出入口と第２出入口とを通じて、下階の部屋と玄関との間で物品を直接持ち運びできるので、使い勝手が良い。
【図面の簡単な説明】
【００１７】
【図１】本発明の階段踊り場下の構造の一例を示す概略斜視図である。
【図２】本発明の階段踊り場下の構造を備える建物の下階部分を示す平面図である。
【図３】同、上階部分を示す平面図である。
【図４】同、外観を示す立面図である。
【発明を実施するための形態】
【００１８】
以下、図面を参照して本発明の実施の形態について説明する。
図１は本発明に係る階段踊り場下の構造の一例を示す概略斜視図である。また、図２は、図１に示す階段踊り場下の構造を備える建物の下階部分を示す平面図であり、図３は、同じく建物の上階部分を示す平面図である。
なお、説明の便宜上、図２および図３において、紙面の上側を北とし、下側を南とし、右側を東とし、左側を西とする。
図１〜図３において符号１は建物の下階を示しており、符号２は建物の上階を示す。この建物の下階１と上階２とは、符号３で示す階段によって連結されており、この階段３を通じて行き来が可能となっている。
また、この階段３の途中には、踊り場４が配置されている。
さらに、この踊り場４の下方には、収納所５が配置されている。
【００１９】
また、図２に示すように、前記下階１には、この下階１の北東側にキッチン１ａ配置され、このキッチンの南側にダイニング１ｂが配置されている。
また、前記キッチン１ａの西側にはトイレと玄関７とが配置されており、この玄関の南側に前記階段３が配置されており、さらに、この階段３の南側に下階の部屋６が配置されている。
【００２０】
また、図３に示すように、前記上階２には、この上階２の中央に位置するとともに階段３に面して廊下２ａが配置されている。
この廊下２ａの東側には、前記下階１のキッチン１ａおよびダイニング１ｂの上方に位置する部屋２ｂが配置されており、前記階段３の南側には、前記下階の部屋６の上方に位置する部屋２ｃが配置されており、前記廊下２ａの北側には、前記玄関７の上方に位置する浴室・洗面室等の水回り室２ｄが配置されている。
【００２１】
前記階段３は、図１〜図３に示すように、前記下階１の床と踊り場４とを連結する第１階段３ｂと、前記踊り場４と上階２の床とを連結する第２階段３ｃとを備えている。
また、この階段３は、前記第１階段３ｂと第２階段３ｃと踊り場４とを備えることによって、該踊り場４を介して１８０度異なる方向に昇降できるように設定された折り返し階段とされている。
すなわち、この階段３は、前記下階１の床から踊り場４へと階段を上る際は、図２に示すように東から西へと移動し、前記踊り場４から上階２の床へと階段を上る際は、図３に示すように西から東へと移動することになり、平面視において略コ字型に方向を変えて昇降できるようになっている。
【００２２】
前記踊り場４は、前記下階の部屋６の床６ａよりも所定の高さ分高い位置に設けられており、図１および図３に示すように、前記下階１と上階２とを結ぶ昇降ルート３ａ上に配置される通路スペース４ａと、この通路スペースに隣接するとともに外壁１４に沿って配置される作業スペース４ｂとを有している。
【００２３】
なお、前記通路スペース４ａと作業スペース４ｂとの境界は曖昧に設定されており、場合によって前記踊り場４上を通路スペース４ａとして広く使ったり、反対に作業スペース４ｂとして広く使ったりすることができる。
すなわち、例えば、比較的大きい物品を持って下階１と上階２との間を行き来する際には、前記踊り場４上を通路スペース４ａとして広く使えば、物品を持ったままの状態でも移動がしやすくなるという利点がある。また、前記踊り場４上を作業スペース４ｂとして広く使えば、種々の作業がしやすいという利点がある。
【００２４】
一方、特に前記通路スペース４ａを広く使わなければならない場合や前記作業スペース４ｂを広く使わなければならない場合を除いて、通常は、前記通路スペース４ａは、人が前記通路スペース４ａを通行しやすく、かつ作業スペース４ｂの広さを無駄に狭めない程度の幅に設定されているものとする。すなわち、例えば前記第１階段３ｂおよび第２階段３ｃの幅方向の長さと同程度の幅に設定されていれば、前記通路スペース４ａを通行しやすく、かつ作業スペース４ｂの広さを無駄に狭めることもないので、好ましい。
【００２５】
また、図１および図３に示すように、前記踊り場４の作業スペース４ｂには、前記外壁１４に沿って作業台１５が設置されている。また、前記外壁１４には、前記作業台１５の上方に位置する部分に棚１５ａが取付固定されている。
さらに、この外壁１４には、棚１５ａの上方に位置する部分に、嵌め殺しの採光窓１４ａと、開閉自在に構成された換気窓１４ｂとが設けられている。
なお、これら採光窓１４ａおよび換気窓１４ｂは、図１および図４に示すように、建物の外壁面に対して、比較的大きな面積を占有して形成された大開口とされており、採光性に優れる。
【００２６】
前記収納所５は、図１および図２に示すように、前記下階の部屋６と玄関７とに隣接して配置されており、前記踊り場４までの高さに設定された複数の壁８，９，１０，１１によって囲まれた位置に設けられている。
前記壁８は、前記下階の部屋６に面して設けられている。
また、前記壁９は、幅方向の一方が前記玄関７に面して設けられるとともに、幅方向の他方が屋外に面して設けられている。
また、前記壁１０は、前記壁８，９の屋内側端部間において、前記第１階段３ｂの裏側および第２階段３ｃの下方に位置するようにして設けられている。
さらに、前記壁１１は、屋外に面して設けられる外壁とされており、前記壁９とともに建物のコーナー部を構成している。
【００２７】
前記壁８，９には、前記下階の部屋６に面する第１出入口８ａと、前記玄関７に面する第２出入口９ａとがそれぞれ形成されており、これら第１出入口８ａと第２出入口９ａとは、互いに対向するようにして配置されている。
また、これら第１出入口８ａと第２出入口９ａとは、前記壁８，９の前記壁１０寄りに形成されている。つまり、前記第２出入口９ａは、前記玄関７に面しているので、前記壁９のうちの前記玄関７に面する部分である前記壁１０寄りに形成されているので、これに伴って、前記第１出入口８ａも前記壁１０寄りに形成されることになる。
【００２８】
また、これら第１出入口８ａおよび第２出入口９ａには、これら第１出入口８ａおよび第２出入口９ａを開閉する引戸８ｂ，９ｂがそれぞれ設けられており、これら引戸８ｂ，９ｂによって収納所５内部を遮蔽できるだけでなく、これら引戸８ｂ，９ｂを開けておくことで、下階の部屋６と玄関７との間で通気がしやすい。
【００２９】
また、前記収納所５には、前記下階の部屋６の床面６ａと略等しい高さに設定されるとともに、この下階の部屋６の床面６ａと面一に設けられる高床部５ａと、この高床部５ａよりも一段低い高さに設定されるとともに、前記玄関７の土間床面７ａと面一に設けられる低床部５ｂとが設けられている。
【００３０】
なお、この収納所５の高床部５ａからの天井高は、０．９ｍ〜１．４ｍに設定されており、人が前記収納所５に入って、何とか作業ができる最低限の高さを確保できるようになっている。
また、このように天井高を必要最小限に抑えることで、建物の高さが高くなることによって隣接する建物に及ぼす日照減少等の影響を極力少なくすることができるという利点もある。
【００３１】
また、前記収納所５の壁１０の内側面には分電盤５ｃが設置されている。このような分電盤５ｃは建物の機能上必要なものであって、景観上必要なものではないから、このように収納所５内に設置しておけば、普段は目につかないので好ましい。
また、この分電盤５ｃを前記壁１０の内側面に設置すれば、前記第１出入口８ａおよび第２出入口９ａから近い場所に配置できることになるので、必要な時に操作しやすい。
【００３２】
また、前記踊り場４上には、図１および図３に示すように、この踊り場４から上階２の天井に達する高さに設定された複数の壁１２，１３と、前記外壁１４とが設けられており、これら壁１２，１３，１４によって周囲を囲まれることによって、前記踊り場４の上方は、上階２の天井まで吹き抜ける吹き抜け空間とされている。
前記外壁１４は、前記収納所５を形成する外壁１１の上方に位置している。
また、前記壁１２は、前記壁８の上方に位置し、前記外壁１４に直交するようにして設けられている。
また、前記壁１３は、前記壁９の上方に位置するとともに前記壁１２と対向し、かつ前記外壁１４に直交するようにして設けられている。
【００３３】
また、前記第１階段３ｂと第２階段３ｃとの間には、図３に示すように、前記壁１２と壁１３との双方に対向し、上部が、前記第２階段３ｃの傾斜角と略等しい角度の傾斜面とされ、下部が前記壁１０に直交する方向に連結された手摺壁１６が設けられている。つまり、この手摺壁１６は、上下階１，２に連通して設けられている。
【００３４】
さらに、この手摺壁１６に対向するとともに前記第１階段３ｂの側面に沿うようにして壁１６ａが設けられている。また、この手摺壁１６に対向するとともに前記第２階段３ｃの側面に沿うようにして壁１６ｂが設けられている。
これら壁１６ａ，１６ｂも前記手摺壁１６と同様に、上下階１，２に連通して設けられているものとする。
また、下階１において、前記手摺壁１６と壁１６ｂとの間には、前記第２階段３ｃの下方に配置され、この第２階段３ｃを支持する壁１６ｃが設けられており、この壁１６ｃと前記壁１０との間はデッドスペースとされており、この壁１６ｃと前記手摺壁１６と壁１６ｂとで囲まれた部分は、前記ダイニング１ｂに向かって開放された収納部１６ｄとされている。
【００３５】
また、前記廊下２ａには、この手摺壁１６と直交するとともに前記第１階段３ｂの上方に位置し、前記踊り場４上方の吹き抜け空間に面する手摺壁１７が設けられている。
【００３６】
なお、本実施の形態において、前記階段３付近に設けられるとともに、上下に隣り合う壁同士８，１２、９，１３、１１，１４は、前記踊り場４を境に上下に分かれているが、上下一体の壁として用いてもよいものとする。
【００３７】
さらに、上下に隣り合う壁８，１２は、それぞれ前記壁１６ａと一体的に設けられており、上下に隣り合う壁８，１３は、それぞれ前記壁１６ｂと一体的に設けられている。
【００３８】
以上のような階段踊り場下の構造を備える建物において物品を前記収納所５に収納する際は、前記下階の部屋６から前記第１出入口８ａを通じて収納する経路と、前記玄関７から前記第２出入口９ａを通じて収納する経路とが利用される。
一方、前記収納所５から物品を持ち出す際は、前記第１出入口８ａを通じて収納した物品を、該第１出入口８ａを通じて下階の部屋６へと持ち出すか、前記第２出入口９ａを通じて玄関７へと持ち出すことができる。さらに、前記第２出入口９ａを通じて収納した物品を、該第２出入口９ａを通じて玄関７へと持ち出すか、前記第１出入口８ａを通じて下階の部屋６へと持ち出すことができる。
【００３９】
本実施の形態によれば、前記収納所５は下階の部屋６と玄関７とに隣接して配置されており、この収納所５を形成する壁８，９に、前記下階の部屋６に面する第１出入口８ａと、前記玄関７に面する第２出入口９ａとが形成されているので、前記下階の部屋６と収納所５との間で、前記第１出入口８ａを通じて物品の出し入れがしやすく、また、前記玄関７と収納所５との間で、前記第２出入口９ａを通じて物品の出し入れがしやすい。さらに、これら第１出入口８ａと第２出入口９ａとを通じて、下階の部屋６と玄関７との間で物品を直接持ち運びできるので、使い勝手が良い。
【００４０】
また、前記第１出入口８ａと第２出入口９ａとは、互いに対向して配置されているので、これら第１出入口８ａと第２出入口９ａとを通じて、下階の部屋６と玄関７との間で進路を曲げずに物品を持ち運びでき、より使い勝手が良い。
【００４１】
また、前記踊り場４は、下階１と上階２とを結ぶ昇降ルート３ａ上に配置される通路スペース４ａと、この通路スペース４ａに隣接するとともに外壁１４に沿って配置される作業スペース４ｂとを有しているので、この作業スペース４ｂの分、踊り場４の面積を広くすることができる。これに伴って、この踊り場４下の収納所５も広くすることができるので、物品の収納量を向上させることができる。
さらに、前記踊り場４を、通路のためのスペースとしてだけでなく、例えば趣味や仕事、勉強等にも利用することができるので、この踊り場４を有効活用することができる。
【００４２】
また、前記収納所５には、前記下階の部屋６の床面６ａと略等しい高さに設定されるとともに、この下階の部屋６の床面６ａと面一に設けられる高床部５ａと、この高床部５ａよりも一段低い高さに設定されるとともに、前記玄関７の土間床面７ａと面一に設けられる低床部５ｂとが設けられているので、前記下階の部屋６で使用する物品を収納所５の高床部５ａ側に収納できるとともに、玄関７や屋外で使用する物品を収納所５の低床部５ｂ側に収納できる。これによって、物品の用途に合わせた収納ができるので、さらに使い勝手が良い。
【符号の説明】
【００４３】
１  下階
２  上階
３  階段
４  踊り場
５  収納所
６  下階の部屋
７  玄関
８  壁
８ａ  第１出入口
９  壁
９ａ  第２出入口
【図１】
2011064017.tif 000003
【図２】
2011064017.tif 000004
【図３】
2011064017.tif 000005
【図４】
2011064017.tif 000006